(57)【要約】【課題】所望の形状の模擬歯髄腔を形成でき、かつ、容易に製造できる歯髄腔模型を提供すること。【解決手段】透明部材により構成された歯体部１０と、歯体部１０に形成された模擬歯髄腔３０と、を有する歯髄腔模型１であって、歯体部１０は、第１当接面１２を有する第１本体部材１１と、第１当接面１２に当接する第２当接面２２を有する第２本体部材２１と、第１当接面１２及び第２当接面２２のうちの少なくとも一方に形成され、模擬歯髄腔３０の形状に対応する歯髄腔溝１３，２３と、を備える。【選択図】図３
2015141214.tif 000002
【特許請求の範囲】
【請求項１】
透明部材により構成された歯体部と、該歯体部に形成された模擬歯髄腔と、を有する歯髄腔模型であって、
前記歯体部は、
第１当接面を有する第１本体部材と、
前記第１当接面に当接する第２当接面を有する第２本体部材と、
前記第１当接面及び前記第２当接面のうちの少なくとも一方に形成され、前記模擬歯髄腔の形状に対応する歯髄腔溝と、を備える歯髄腔模型。
【請求項２】
前記歯髄腔溝は、
前記模擬歯髄腔の基端側を構成する歯冠部歯髄腔溝と、
前記歯冠部歯髄腔溝から先端側に延びる根管腔溝と、を備え、
前記根管腔溝は、前記第１当接面又は前記第２当接面のうちの一方のみに形成される請求項１に記載の歯髄腔模型。
【請求項３】
前記第１本体部材の断面は、前記第１当接面が端面となる凸形状に形成され、
前記第２本体部材の断面は、前記第２当接面が底面となる凹形状に形成され、
前記第１本体部材と前記第２本体部材とは、前記模擬歯髄腔の延びる方向にスライドさせて結合可能なあり溝機構により結合される請求項１又は２に記載の歯髄腔模型。
【請求項４】
前記第１当接面の幅及び前記第２当接面の幅は、前記模擬歯髄腔の基端側から先端側に向かって徐々に狭くなっている請求項３に記載の歯髄腔模型。
【請求項５】
前記第１本体部材の凸形状部分の高さは、前記第２本体部材の凹形状部分の深さよりもわずかに高い請求項３又は４に記載の歯髄腔模型。
【請求項６】
前記歯髄腔溝の幅方向の断面は、多角形状に形成される請求項１〜５のいずれかに記載の歯髄腔模型。
【請求項７】
前記模擬歯髄腔の先端部は、外部に開放されている請求項１〜６のいずれかに記載の歯髄腔模型。
【発明の詳細な説明】
【技術分野】
【０００１】
本発明は、歯体部と、この歯体部に形成された模擬歯髄腔とを備える歯髄腔模型に関する。
【背景技術】
【０００２】
従来、歯科医療技術分野において、種々の人工歯が用いられている。例えば、透明な樹脂により構成された歯体部と、この歯体部に形成された模擬歯髄腔と、を備え、歯髄まで進行した虫歯の治療の訓練等に用いられる歯髄腔模型が提案されている（例えば、特許文献１参照）。
このような歯髄腔模型は、歯体部を成形する成形型に、歯髄の形状を模した模擬歯髄を配置した後、この成形型に樹脂を充填して硬化させ、樹脂が硬化した後に模擬歯髄を引き抜くことで製造される。
【先行技術文献】
【特許文献】
【０００３】
【特許文献１】特開２０１２−６８６０５号公報
【発明の概要】
【発明が解決しようとする課題】
【０００４】
このように、従来の歯髄腔模型では、硬化した樹脂成形品から模擬歯髄を引き抜いて模擬歯髄腔を形成するため、模擬歯髄の形状に制限があった。即ち、従来の歯髄腔模型では、大きく曲がった形状の模擬歯髄腔や、基端側から先端側に向かって一端太くなった後再び細くなる形状の模擬歯髄腔を形成することはできなかった。
【０００５】
従って、本発明は、所望の形状の模擬歯髄腔を形成でき、かつ、製造が容易な歯髄腔模型を提供することを目的とする。
【課題を解決するための手段】
【０００６】
本発明は、透明部材により構成された歯体部と、該歯体部に形成された模擬歯髄腔と、を有する歯髄腔模型であって、前記歯体部は、第１当接面を有する第１本体部材と、前記第１当接面に当接する第２当接面を有する第２本体部材と、前記第１当接面及び前記第２当接面のうちの少なくとも一方に形成され、前記模擬歯髄腔の形状に対応する歯髄腔溝と、を備える歯髄腔模型に関する。
【０００７】
また、前記歯髄腔溝は、前記模擬歯髄腔の基端側を構成する歯冠部歯髄腔溝と、前記歯冠部歯髄腔溝から先端側に延びる根管腔溝と、を備え、前記根管腔溝は、前記第１当接面又は前記第２当接面のうちの一方のみに形成されることが好ましい。
【０００８】
また、前記第１本体部材の断面は、前記第１当接面が端面となる凸形状に形成され、前記第２本体部材の断面は、前記第２当接面が底面となる凹形状に形成され、前記第１本体部材と前記第２本体部材とは、前記模擬歯髄腔の延びる方向にスライドさせて結合可能なあり溝機構により結合されることが好ましい。
【０００９】
また、前記第１当接面の幅及び前記第２当接面の幅は、前記模擬歯髄腔の基端側から先端側に向かって徐々に狭くなっていることが好ましい。
【００１０】
また、前記第１本体部材の凸形状部分の高さは、前記第２本体部材の凹形状部分の深さよりもわずかに高いことが好ましい。
【００１１】
また、前記歯髄腔溝の幅方向の断面は、多角形状に形成されることが好ましい。
【００１２】
また、前記模擬歯髄腔の先端部は、外部に開放されていることが好ましい。
【発明の効果】
【００１３】
本発明の歯髄腔模型によれば、所望の形状の模擬歯髄腔を形成でき、かつ、容易に製造できる。
【図面の簡単な説明】
【００１４】
【図１】本発明の第１実施形態に係る歯髄腔模型を示す斜視図である。
【図２】第１実施形態に係る歯髄腔模型の平面図である。
【図３】第１実施形態に係る歯髄腔模型の分解斜視図である。
【図４】第１本体部材を示す平面図である。
【図５】第２本体部材を示す平面図である。
【図６】図２のＡ−Ａ線断面図である。
【図７】図２のＢ−Ｂ線断面図である。
【図８】模擬歯髄腔の形状の一例を示す図である。
【図９】模擬歯髄腔の形状の一例を示す図である。
【図１０】模擬歯髄腔の形状の一例を示す図である。
【図１１】模擬歯髄腔の形状の一例を示す図である。
【発明を実施するための形態】
【００１５】
以下、本発明の歯髄腔模型の好ましい各実施形態について、図面を参照しながら説明する。
本実施形態の歯髄腔模型１は、歯科医療技術の研究や、歯科学生又は研修医による実習に用いられる歯髄腔模型１であり、図１に示すように、エポキシ樹脂又はアクリル樹脂等の透明部材により構成された歯体部１０と、この歯体部１０に形成された模擬歯髄腔３０と、を備える。
【００１６】
歯体部１０は、歯における歯冠部及び歯根部に対応する部分を構成する。模擬歯髄腔２０は、歯冠部から歯根部に延びて形成される歯髄腔に対応する部分を構成する。本実施形態では、模擬歯髄腔３０は、歯冠部に対応する位置に形成される歯冠部歯髄腔部３１と、この歯冠部歯髄腔部３１から歯根部に対応する部分に向かって延びる歯根腔部３２と、を備える。本実施形態では、歯根腔部３２は途中で湾曲すると共に、この歯根腔部３２の先端部は、外部に開放されている。
【００１７】
本実施形態の歯髄腔模型１は、図１及び図３に示すように、第１本体部材１１と、第２本体部材２１と、により構成される。
第１本体部材１１は、図３及び図４に示すように、平面視矩形の板状に構成される。この第１本体部材１１は、第１当接面１２と、この第１当接面１２に形成された歯髄腔溝１３と、を備える。第１当接面１２は、板状の第１本体部材１１の一方の板面を構成する。本実施形態では、第１当接面１２は、平面状に構成される。
【００１８】
歯髄腔溝１３は、第１当接面１２の長手方向ＬＤの一端側から他端側に延びて形成される。この歯髄腔溝１３は、図１〜図３に示すように、歯冠部歯髄腔溝１３１と、根管腔溝１３２と、を備える。歯冠部歯髄腔溝１３１は、第１本体部材１１の長手方向ＬＤの一端部に配置される。この歯冠部歯髄腔溝１３１は、図１〜図４に示すように、基端側から先端側に向かって徐々に幅が狭く、かつ、深さが浅くなった形状（半円錐状）に形成される。
【００１９】
根管腔溝１３２は、歯冠部歯髄腔溝１３１の先端部に連続するように配置される。この根管腔溝１３２は、図４に示すように、第１当接面１２の長手方向ＬＤの他端側に延びると共に、途中で湾曲した形状に形成される。根管腔溝１３２の先端部は、第１本体部材１１の側面まで延びている。より具体的には、第１本体部材１１の側面には、幅方向に凹んだ第１凹み部１４が形成されている。そして、根管腔溝１３２の先端部は、この第１凹み部１４につながっている。
本実施形態では、根管腔溝１３２の幅方向の断面は、図３及び図７に示すように、多角形状（ここでは、四角形状）に構成される。
【００２０】
以上の第１本体部材１１の幅方向ＷＤ（歯髄腔溝１３の延びる方向に交差する方向）の断面は、図３及び図７に示すように、第１当接面１２が端面となる凸形状に形成される。より具体的には、第１本体部材１１の凸形状は、基端部の幅Ｗ１よりも先端部（第１当接面１２）の幅Ｗ２が広い形状に形成される。また、第１当接面１２の幅は、図４に示すように、歯髄腔溝１３の基端側（歯冠部歯髄腔溝１３１側、幅Ｗ３参照）から先端側（根管腔溝１３２側、幅Ｗ４参照）に向かって徐々に狭くなっている。
【００２１】
第２本体部材２１は、図３及び図５に示すように、平面視矩形の板状に構成される。この第２本体部材２１は、第２当接面２２と、この第２当接面２２に形成された歯髄腔溝２３と、を備える。第２当接面２２は、板状の第２本体部材２１の一方の板面を構成する。本実施形態では、第２当接面２２は、平面状に構成される。
【００２２】
本実施形態では、第２当接面２２には、歯髄腔溝２３として歯冠部歯髄腔溝２３１のみが形成される。即ち、本実施形態では、根管腔溝は、第１当接面１２のみに形成される。歯冠部歯髄腔溝２３１は、後述するように、第１本体部材１１と第２本体部材２１とを結合させた場合に、歯冠部歯髄腔溝１３１に対向する位置に形成される。この歯冠部歯髄腔溝２３１は、図１〜図３及び図５に示すように、基端側から先端側に向かって徐々に幅が狭く、かつ、深さが浅くなった形状（半円錐状）に形成される。
【００２３】
以上の第２本体部材２１の幅方向ＷＤの断面は、図３及び図７に示すように、第２当接面２２が底面となる凹形状に形成される。より具体的には、第２本体部材２１の凹形状は、先端部の幅Ｗ１よりも基端部（第２当接面２２）の幅Ｗ２が広い形状に形成される。また、第２当接面２２の幅は、図５に示すように、歯髄腔溝１３の基端側（歯冠部歯髄腔溝１３１側、幅Ｗ５参照）から先端側（幅Ｗ４参照）に向かって徐々に狭くなっている。
第２本体部材２１の凹形状は、第１本体部材１１の凸形状に対応する形状及び大きさに構成される。また、第２本体部材２１の凹形状の深さＴは、第１本体部材１１の凸形状の高さＴよりもわずかに（例えば、０．０３ｍｍ〜０．０７ｍｍ）低く設定される。
また、第２本体部材２１の側面には、幅方向に凹んだ第２凹み部２４が形成されている。この第２凹み部２４は、第１本体部材１１と第２本体部材２１とを結合させた場合に、幅方向ＷＤにおいて第１凹み部に重なる位置に形成される（図１及び図２参照）。
【００２４】
第１本体部材１１は、第１当接面１２及び歯髄腔溝１３に対応した形状の金型面を有する金型に上述の樹脂材料を充填して成形される。同様に、第２本体部材２１は、第２当接面２２及び歯髄腔溝２３に対応した形状の金型面を有する金型に樹脂材料を充填して成形される。
【００２５】
本実施形態の歯髄腔模型１は、第１本体部材１１と第２本体部材２１とが、第１当接面１２と第２当接面２２とが当接するように結合されて構成される。より具体的には、図３に示すように、第１本体部材１１の凸形状部分が第２本体部材２１の凹形状部分に嵌り合うように、第１本体部材１１と第２本体部材２１とを長手方向ＬＤにスライドさせることで、これら第１本体部材１１と第２本体部材２１とが結合される。即ち、本実施形態では、第１本体部材１１と第２本体部材２１とは、第１本体部材１１の凸形状及び第２本体部材２１の凹形状により構成されるあり溝機構により結合される。
【００２６】
そして、第１本体部材１１と第２本体部材２１とが結合された状態において、歯髄腔溝１３及び歯髄腔溝２３により、模擬歯髄腔３０が構成される。より詳細には、歯冠部歯髄腔部３１は、図６に示すように、第１当接面１２に形成された歯冠部歯髄腔溝１３１及び第２当接面２２に形成された歯冠部歯髄腔溝２３１により構成される。また、歯根腔部３２は、図７に示すように、第１当接面１２に形成された根管腔溝１３２及び第２当接面２２により構成される。
これにより、図７に示すように、歯根腔部３２においては、第１当接面１２と第２当接面２２との当接部分の位置は、模擬歯髄腔３０の断面における中央部分から偏ることになる。
【００２７】
以上説明した本実施形態の歯髄腔模型１によれば、以下のような効果を奏する。
【００２８】
（１）歯髄腔模型１を、第１当接面１２を有する第１本体部材１１と、第１当接面１２に当接する第２当接面２２を有する第２本体部材２１と、を含んで構成し、第１当接面１２及び第２当接面２２の少なくとも一方に歯髄腔溝１３，２３を形成した。これにより、第１本体部材１１又は第２本体部材２１の表面（第１当接面１２又は第２当接面２２）に形成した溝により模擬歯髄腔３０を構成できるので、模擬歯髄腔３０の形状の自由度を高められる。即ち、本実施形態の歯髄腔模型１によれば、従来の歯髄腔模型では形成が困難であった大きく湾曲した形状の模擬歯髄腔３０Ａ（図８参照）、途中で一端太くなった後再び細くなった形状の模擬歯髄腔３０Ｂ（図９参照）、途中で分岐した後再び合流した形状の模擬歯髄腔３０Ｃ（図１０参照）、又はより複雑な形状の模擬歯髄腔３０Ｄ（図１１参照）であっても、容易に形成できる。また、第１当接面１２と第２当接面２２とが当接するように第１本体部材１１及び第２本体部材２１を結合させることで、模擬歯髄腔３０を備える歯髄腔模型１を容易に製造できる。
更には、歯髄腔模型１の使用後に、第１本体部材１１と第２本体部材２１とを分離できるので、歯髄腔模型１を使用した後の模擬歯髄腔３０の状態の検証等を容易に行える。
【００２９】
（２）歯髄腔溝１３，２３を、歯冠部歯髄腔溝１３１，２３１と、根管腔溝１３２と、を含んで構成し、根管腔溝１３２を、第１当接面１２のみに形成した。これにより、模擬歯髄腔３０（歯根腔部３２）が形成される部分における第１当接面１２と第２当接面２２との当接部分の位置を、模擬歯髄腔３０の断面における中央部分から偏らせられる。よって、模擬歯髄腔３０に挿入する器具（例えば、ファイル）の先端を第１当接面１２と第２当接面２２との当接部分に接触しにくくできるので、模擬歯髄腔３０に挿入した器具の先端が当接部分に接触して器具の動きを阻害することを防げる。その結果。模擬歯髄腔３０の内部において、より正確な器具の動きを再現できる。
【００３０】
（３）第１本体部材１１と第２本体部材２１とを、あり溝機構により結合した。これにより、第１本体部材１１と第２本体部材２１とを、容易に、かつ、第１当接面１２と第２当接面２２との当接状態を好適に保持した状態で結合させられる。よって、模擬歯髄腔３０に薬剤等を充填した場合に、薬剤が第１当接面１２と第２当接面２２との境界部分に漏れ出すことを防げる。
【００３１】
（４）第１当接面１２の幅及び第２当接面２２の幅を、模擬歯髄腔３０の基端側から先端側に向かって徐々に狭くなるように構成した。これにより、凸形状の先端側の幅を凹形状の基端側の幅よりも狭くできるので、第１本体部材１１と第２本体部材２１との結合を容易に行える。また、第１当接面１２の幅及び第２当接面２２の幅を適宜設定することで、第１本体部材１１と第２本体部材２１との結合位置を決定できるので、ストッパ等を設けることなく第１本体部材１１と第２本体部材２１との結合位置の位置決めを容易に行える。
【００３２】
（５）凸形状部分の高さを、凹形状部分の深さよりもわずかに高くした。これにより、第１本体部材１１と第２本体部材２１とを結合させた場合における第１当接面１２と第２当接面２２との密着性を向上させられる。
【００３３】
（６）歯髄腔溝（根管腔溝１３２）の幅方向の断面を多角形状に形成した。これにより、例えば、模擬歯髄腔３０の壁面を削るような器具を歯髄腔模型１に用いた場合に、削りカスにより模擬歯髄腔３０を詰まりにくくできる。よって、歯髄腔模型１をより使用しやすくできる。
【００３４】
（７）実際には、歯髄腔の先端部は神経や血管につながっている。そこで、模擬歯髄腔３０の先端部を外部に開放させた。これにより、模擬歯髄腔３０に薬剤を充填した場合に、模擬歯髄腔３０の内部の空気を模擬歯髄腔３０の先端部から外部に排出できるので、模擬歯髄腔３０に薬剤を好適に充填できる。よって、模擬歯髄腔３０への薬剤の充填をより正確に再現できる。
【００３５】
以上、本発明の歯髄腔模型１の好ましい各実施形態につき説明したが、本発明は、上述の実施形態に制限されるものではなく、適宜変更が可能である。
例えば、本実施形態では、根管腔溝１３２を第１当接面１２のみに形成したが、これに限らない。即ち、根管腔溝を第１当接面及び第２当接面の双方に形成してもよい。
【００３６】
また、本実施形態では、模擬歯髄腔３０の先端部を外部に開放させたが、これに限らない。即ち、模擬歯髄腔の先端は開放させなくてもよい。この場合、図１１に示すように、模擬歯髄腔３０Ｄの先端部に所定の閉鎖空間を形成し、この閉鎖空間に吸液性を有する部材（例えば多孔性のシリコン）を配置してもよい。
【００３７】
また、本実施形態では、第１当接面１２及び第２当接面２２を平面状に形成したが、これに限らない。即ち、第１当接面及び第２当接面を湾曲面により構成してもよい。
【００３８】
また、第１本体部材及び／又は第２本体部材の反当接面を凸曲面となるように形成してもよい。これにより、模擬歯髄腔を拡大して観察できる。
【００３９】
また、第１当接面又は第２当接面に接着材を塗布してもよい。これにより、第１当接面と第２当接面との間をより密着させられる。
【００４０】
また、本実施形態では、第１本体部材１１と第２本体部材２１とを、あり溝機構により着脱可能に結合したが、これに限らない。即ち、第１本体部材と第２本体部材とを、他の方法により結合させてもよい。
【符号の説明】
【００４１】
１  歯髄腔模型
１０  歯体部
１１  第１本体部材
１２  第１当接面
１３  歯髄腔溝
２１  第２本体部材
２２  第２当接面
２３  歯髄腔溝
３０  模擬歯髄腔
３１  歯冠部歯髄腔部
３２  歯根腔部
１３１  歯冠部歯髄腔溝
１３２  根管腔溝
２３１  歯冠部歯髄腔溝
【図１】
2015141214.tif 000003
【図２】
2015141214.tif 000004
【図３】
2015141214.tif 000005
【図４】
2015141214.tif 000006
【図５】
2015141214.tif 000007
【図６】
2015141214.tif 000008
【図７】
2015141214.tif 000009
【図８】
2015141214.tif 000010
【図９】
2015141214.tif 000011
【図１０】
2015141214.tif 000012
【図１１】
2015141214.tif 000013